(57)【要約】【課題】線又は文字であることを示す画素と線又は文字でないことを示す画素との境界について常に一律に画素値を調整する場合と比べて、画像における線又は文字の太さを柔軟に調整することができる画像処理装置、画像形成装置、及びプログラムを提供する。【解決手段】画像形成装置１０Ａは、画像における線又は文字の一部を示す第１画素との境界に沿う第２画素であって、線又は文字の一部ではないことを示す第２画素を注目画素として含む予め定められた調整領域の中で、注目画素の近傍に位置する第１画素の画素値により画素値が調整された調整済画素の数が閾値未満である場合に、注目画素に対応する画素値を、注目画素の近傍に位置する第１画素である近傍画素の画素値に基づいて調整する調整部３４を備え、調整領域及び閾値の少なくとも一方は変更可能である。【選択図】図２
2019041280.tif 000002
【特許請求の範囲】
【請求項１】
画像における線又は文字の一部を示す第１画素との境界に沿う第２画素であって、線又は文字の一部ではないことを示す前記第２画素を注目画素として含む予め定められた調整領域の中で、前記注目画素の近傍に位置する前記第１画素の画素値により画素値が調整された調整済画素の数が閾値未満である場合に、前記注目画素に対応する画素値を、前記注目画素の近傍に位置する前記第１画素である近傍画素の画素値に基づいて調整する調整部
を備え、
前記調整領域及び前記閾値の少なくとも一方は変更可能である画像処理装置。
【請求項２】
前記調整部は、前記注目画素に対応する画素値の調整を、前記画像の左上角点を始点、右下角点を終点とし、前記注目画素を前記画像の左端から右端に向け、かつ、前記画像の上端から下端に向けて、１画素分ずつ移動させながら行う請求項１に記載の画像処理装置。
【請求項３】
前記注目画素は、前記調整領域の右下端に位置する画素である請求項２に記載の画像処理装置。
【請求項４】
前記調整領域は、前記注目画素の上隣及び左隣の各々の画素と、前記上隣の画素の右隣及び左隣の各々の画素と、を含む領域である請求項３に記載の画像処理装置。
【請求項５】
前記調整部は、画素値を調整した前記注目画素である前記調整済画素と、画素値を調整しない前記注目画素とを周期的に配置するように調整する請求項１に記載の画像処理装置。
【請求項６】
前記画像の各画素に対して、前記線又は文字の一部であることを示す線文字タグ、及び、前記線又は文字の一部ではないことを示す非線文字タグのいずれか一方を割り当てる割当部と、
前記注目画素を含む予め定められた検出領域毎に、前記割当部により前記線文字タグが割り当てられた画素である前記第１画素と、前記非線文字タグが割り当てられた画素である前記第２画素との前記境界を検出する検出部と、
を更に備えた請求項１〜５のいずれか１項に記載の画像処理装置。
【請求項７】
前記検出部は、前記検出領域に対応する境界検出用パターンであって、前記注目画素、前記第１画素、前記第２画素、及び前記近傍画素の位置関係が予め規定された前記境界検出用パターンを用いて、前記境界を検出する請求項６に記載の画像処理装置。
【請求項８】
画像における線又は文字の一部を示す第１画素との境界に沿う第２画素であって、線又は文字の一部ではないことを示す前記第２画素を注目画素として含む予め定められた調整領域の中で、前記注目画素の近傍に位置する前記第１画素の画素値により画素値が調整された調整済画素の数が閾値未満である場合に、前記注目画素に対応する画素値を、前記注目画素の近傍に位置する前記第１画素である近傍画素の画素値に基づいて調整する調整部と、
前記調整部により画素値が調整された前記画像を記録媒体に形成する形成部と、
を備え、
前記調整領域及び前記閾値の少なくとも一方は変更可能である画像形成装置。
【請求項９】
コンピュータを、請求項１〜７のいずれか１項に記載の画像処理装置が備える各部として機能させるためのプログラム。
【発明の詳細な説明】
【技術分野】
【０００１】
本発明は、画像処理装置、画像形成装置、及びプログラムに関する。
【背景技術】
【０００２】
特許文献１には、画像からエッジ部か否かの判定を行うエッジ判定部と、エッジ判定部の判定結果に基づいて画像のエッジ領域を広げてエッジ部と再判定するエッジ再判定部とを備えた画像処理装置が記載されている。この画像処理装置は、更に、エッジ判定部及びエッジ再判定部によりエッジ部と判定された画像と、非エッジ部と判定された画像とで異なる処理を施す処理部と、画像の注目画素の濃度に基づいてエッジ再判定部による再判定処理の内容を変更する変更部とを備える。
【０００３】
特許文献２には、上記特許文献１と同様に、エッジ判定部及びエッジ再判定部を備えた画像処理装置が記載されている。この画像処理装置は、更に、エッジ判定部及びエッジ再判定部によりエッジ部と判定された画像と、非エッジ部と判定された画像とで異なる処理を施す処理部と、画像の入力解像度に基づいてエッジ再判定部による再判定処理の内容を変更する変更部とを備える。
【０００４】
特許文献３には、画像の各々の画素を注目画素として、注目画素を含む判定領域の濃度が閾値以上であるか否かを判定する画像処理装置が記載されている。この閾値は、注目画素の濃度に応じて設定された閾値であって、注目画素が画像のエッジ部分に相当するエッジ画素か否かを判定するための閾値である。この画像処理装置は、更に、上記判定領域の濃度が上記閾値以上の場合に、注目画素をエッジ画素として検出し、検出したエッジ画素のうち予め定めた濃度以上の濃度を有するエッジ画素に対して、当該エッジ画素の濃度に応じた補正を行う。
【先行技術文献】
【特許文献】
【０００５】
【特許文献１】特開２０１２−２８９５２号公報
【特許文献２】特開２０１３−３８５４５号公報
【特許文献３】特許第５９９４７４１号公報
【発明の概要】
【発明が解決しようとする課題】
【０００６】
ところで、電子写真方式等による画像形成装置では、外部環境における温度や湿度、更に、装置内部のマーキング特性等の様々な要因の影響を受けて、印刷された線や文字に、太りや、つぶれ、かすれ等が生じる場合がある。
【０００７】
本発明は、線又は文字であることを示す画素と線又は文字でないことを示す画素との境界について常に一律に画素値を調整する場合と比べて、画像における線又は文字の太さを柔軟に調整することができる画像処理装置、画像形成装置、及びプログラムを提供することを目的とする。
【課題を解決するための手段】
【０００８】
上記目的を達成するために、請求項１に記載の画像処理装置は、画像における線又は文字の一部を示す第１画素との境界に沿う第２画素であって、線又は文字の一部ではないことを示す前記第２画素を注目画素として含む予め定められた調整領域の中で、前記注目画素の近傍に位置する前記第１画素の画素値により画素値が調整された調整済画素の数が閾値未満である場合に、前記注目画素に対応する画素値を、前記注目画素の近傍に位置する前記第１画素である近傍画素の画素値に基づいて調整する調整部を備え、前記調整領域及び前記閾値の少なくとも一方は変更可能であるとされている。
【０００９】
また、請求項２に記載の画像処理装置は、請求項１に記載の発明において、前記調整部が、前記注目画素に対応する画素値の調整を、前記画像の左上角点を始点、右下角点を終点とし、前記注目画素を前記画像の左端から右端に向け、かつ、前記画像の上端から下端に向けて、１画素分ずつ移動させながら行うものである。
【００１０】
また、請求項３に記載の画像処理装置は、請求項２に記載の発明において、前記注目画素が、前記調整領域の右下端に位置する画素であるとされている。
【００１１】
また、請求項４に記載の画像処理装置は、請求項３に記載の発明において、前記調整領域が、前記注目画素の上隣及び左隣の各々の画素と、前記上隣の画素の右隣及び左隣の各々の画素と、を含む領域とされている。
【００１２】
また、請求項５に記載の画像処理装置は、請求項１に記載の発明において、前記調整部が、画素値を調整した前記注目画素である前記調整済画素と、画素値を調整しない前記注目画素とを周期的に配置するように調整するものである。
【００１３】
また、請求項６に記載の画像処理装置は、請求項１〜５のいずれか１項に記載の発明において、前記画像の各画素に対して、前記線又は文字の一部であることを示す線文字タグ、及び、前記線又は文字の一部ではないことを示す非線文字タグのいずれか一方を割り当てる割当部と、前記注目画素を含む予め定められた検出領域毎に、前記割当部により前記線文字タグが割り当てられた画素である前記第１画素と、前記非線文字タグが割り当てられた画素である前記第２画素との前記境界を検出する検出部と、を更に備えたものである。
【００１４】
また、請求項７に記載の画像処理装置は、請求項７に記載の発明において、前記検出部が、前記検出領域に対応する境界検出用パターンであって、前記注目画素、前記第１画素、前記第２画素、及び前記近傍画素の位置関係が予め規定された前記境界検出用パターンを用いて、前記境界を検出するものである。
【００１５】
一方、上記目的を達成するために、請求項８に記載の画像形成装置は、画像における線又は文字の一部を示す第１画素との境界に沿う第２画素であって、線又は文字の一部ではないことを示す前記第２画素を注目画素として含む予め定められた調整領域の中で、前記注目画素の近傍に位置する前記第１画素の画素値により画素値が調整された調整済画素の数が閾値未満である場合に、前記注目画素に対応する画素値を、前記注目画素の近傍に位置する前記第１画素である近傍画素の画素値に基づいて調整する調整部と、前記調整部により画素値が調整された前記画像を記録媒体に形成する形成部と、を備え、前記調整領域及び前記閾値の少なくとも一方は変更可能であるとされている。
【００１６】
更に、上記目的を達成するために、請求項９に記載のプログラムは、コンピュータを、請求項１〜７のいずれか１項に記載の画像処理装置が備える各部として機能させるためのものである。
【発明の効果】
【００１７】
請求項１、請求項８、及び請求項９に係る発明によれば、線又は文字であることを示す画素と線又は文字でないことを示す画素との境界について常に一律に画素値を調整する場合と比べて、画像における線又は文字の太さを柔軟に調整することができる。
【００１８】
請求項２、請求項３、及び請求項４に係る発明によれば、画像全体に対して線又は文字の太さを柔軟に調整することができる。
【００１９】
請求項５に係る発明によれば、画素値を調整した注目画素である調整済画素と、画素値を調整しない注目画素とを周期的に配置しない場合と比べて、画像における線又は文字の太さをより違和感なく調整することができる。
【００２０】
請求項６に係る発明によれば、各画素に線又は文字の一部であるか否かを示すタグを割り当てない場合と比べて、線又は文字を構成する画素と、線又は文字を構成しない画素との境界をより的確に検出することができる。
【００２１】
請求項７に係る発明によれば、境界検出用パターンを用いない場合と比べて、線又は文字を構成する画素と、線又は文字を構成しない画素との境界をより的確に検出することができる。
【図面の簡単な説明】
【００２２】
【図１】第１の実施形態に係る画像形成装置の構成の一例を示すブロック図である。
【図２】第１の実施形態に係る画像形成装置の機能的な構成の一例を示すブロック図である。
【図３】第１の実施形態に係る画像形成装置によるラスタライズ処理の一例を説明するための模式図である。
【図４】実施形態に係るラスタ画像の境界検出処理における処理順の一例を示す模式図である。
【図５】第１の実施形態に係る画像形成装置による境界検出処理の一例を説明するための模式図である。
【図６】実施形態に係る境界検出用パターンの一例を示す模式図である。
【図７】第１の実施形態に係る画像形成装置による連続的画素値調整処理後における画像合成処理の一例を説明するための模式図である。
【図８】実施形態に係る調整領域の一例を示す図である。
【図９】実施形態に係る他の調整領域の一例を示す図である。
【図１０】第１の実施形態に係る画像形成装置による周期的画素値調整処理の手順の一例を示す模式図である。
【図１１】第１の実施形態に係る画像形成装置による周期的画素値調整処理後における画像合成処理の一例を説明するための模式図である。
【図１２】第１の実施形態に係る連続的画素値調整処理及び周期的画素値調整処理の各々を適用した場合の合成画像の一例を示す模式図である。
【図１３】第１の実施形態に係る画像処理プログラムの処理の流れの一例を示すフローチャートである。
【図１４】第２の実施形態に係る画像形成装置の機能的な構成の一例を示すブロック図である。
【図１５】第２の実施形態に係る画像形成装置によるラスタライズ処理の一例を説明するための模式図である。
【発明を実施するための形態】
【００２３】
以下、図面を参照して、本発明を実施するための形態の一例について詳細に説明する。
【００２４】
［第１の実施形態］
図１は、第１の実施形態に係る画像形成装置１０Ａの構成の一例を示すブロック図である。
図１に示すように、本実施形態に係る画像形成装置１０Ａは、画像処理部１１と、表示部１６と、操作部１８と、画像形成部２０と、原稿読取部２２と、通信部２４と、を備える。画像処理部１１は、画像処理装置の一例である。画像処理部１１は、制御部１２と、記憶部１４と、を含んで構成されている。
【００２５】
制御部１２は、ＣＰＵ（Central Processing Unit）１２Ａ、ＲＯＭ（Read Only Memory）１２Ｂ、ＲＡＭ（Random Access Memory）１２Ｃ、及び入出力インターフェース（Ｉ／Ｏ）１２Ｄを備えており、これら各部がバスを介して各々接続されている。
【００２６】
Ｉ／Ｏ１２Ｄには、記憶部１４と、表示部１６と、操作部１８と、画像形成部２０と、原稿読取部２２と、通信部２４と、を含む各機能部が接続されている。これらの各機能部は、Ｉ／Ｏ１２Ｄを介して、ＣＰＵ１２Ａと相互に通信可能とされる。
【００２７】
制御部１２は、画像形成装置１０Ａの全体の動作を制御するメイン制御部の一部として構成されてもよい。制御部１２の各ブロックの一部又は全部には、例えば、ＬＳＩ（Large Scale Integration）等の集積回路又はＩＣ（Integrated Circuit）チップセットが用いられる。上記各ブロックに個別の回路を用いてもよいし、一部又は全部を集積した回路を用いてもよい。上記各ブロック同士が一体として設けられてもよいし、一部のブロックが別に設けられてもよい。また、上記各ブロックのそれぞれにおいて、その一部が別に設けられてもよい。制御部１２の集積化には、ＬＳＩに限らず、専用回路又は汎用プロセッサを用いてもよい。
【００２８】
記憶部１４としては、例えば、ＨＤＤ（Hard Disk Drive）、ＳＳＤ（Solid State Drive）、フラッシュメモリ等が用いられる。記憶部１４には、画像処理プログラム１４Ａが記憶される。なお、この画像処理プログラム１４Ａは、ＲＯＭ１２Ｂに記憶されていてもよい。
【００２９】
画像処理プログラム１４Ａは、例えば、画像形成装置１０Ａに予めインストールされていてもよい。画像処理プログラム１４Ａは、不揮発性の記憶媒体に記憶して、又はネットワークを介して配布して、画像形成装置１０Ａに適宜インストールすることで実現してもよい。なお、不揮発性の記憶媒体の例としては、ＣＤ-ＲＯＭ、光磁気ディスク、ＨＤＤ、ＤＶＤ-ＲＯＭ、フラッシュメモリ、メモリカード等が想定される。
【００３０】
表示部１６には、例えば、液晶ディスプレイ（ＬＣＤ:Liquid Crystal Display）や有機ＥＬ（Electro Luminescence）ディスプレイ等が用いられる。表示部１６は、タッチパネルを一体的に有している。操作部１８には、テンキーやスタートキー等の各種の操作キーが設けられている。表示部１６及び操作部１８は、画像形成装置１０Ａのユーザから各種の指示を受け付ける。この各種の指示には、例えば、原稿の読み取りを開始させる指示や、原稿のコピーを開始させる指示等が含まれる。表示部１６は、ユーザから受け付けた指示に応じて実行された処理の結果や、処理に対する通知等の各種の情報を表示する。
【００３１】
原稿読取部２２は、画像形成装置１０Ａの上部に設けられた図示しない自動原稿送り装置の給紙台に置かれた原稿を１枚ずつ取り込み、取り込んだ原稿を光学的に読み取って画像情報を得る。あるいは、原稿読取部２２は、プラテンガラス等の原稿台に置かれた原稿を光学的に読み取って画像情報を得る。
【００３２】
画像形成部２０は、原稿読取部２２による読み取りによって得られた画像情報、又は、ネットワークを介して接続された外部のＰＣ等から得られた画像情報に基づく画像を、紙等の記録媒体に形成する。なお、本実施形態においては、画像を形成する方式として、電子写真方式を例示して説明するが、インクジェット方式等の他の方式を採用してもよい。なお、画像形成部２０は、形成部の一例である。
【００３３】
画像を形成する方式が電子写真方式の場合、画像形成部２０は、感光体ドラム、帯電部、露光部、現像部、転写部、及び定着部を含む。帯電部は、感光体ドラムに電圧を印加して感光体ドラムの表面を帯電させる。露光部は、帯電部で帯電された感光体ドラムを画像情報に応じた光で露光することにより感光体ドラムに静電潜像を形成する。現像部は、感光体ドラムに形成された静電潜像をトナーにより現像することで感光体ドラムにトナー像を形成する。転写部は、感光体ドラムに形成されたトナー像を記録媒体に転写する。定着部は、記録媒体に転写されたトナー像を加熱及び加圧により定着させる。
【００３４】
通信部２４は、ＬＡＮ（Local Area Network）、ＷＡＮ（Wide Area Network）等のネットワークに接続されており、図示しない外部のＰＣ等との間でネットワークを介して通信が可能とされる。なお、通信部２４とネットワークとは有線で接続されていてもよく、無線で接続されていてもよい。
【００３５】
本実施形態に係る画像形成装置１０ＡのＣＰＵ１２Ａは、記憶部１４に記憶されている画像処理プログラム１４ＡをＲＡＭ１２Ｃに書き込んで実行することにより、図２に示す各部として機能する。
【００３６】
図２は、第１の実施形態に係る画像形成装置１０Ａの機能的な構成の一例を示すブロック図である。
図２に示すように、本実施形態に係る画像形成装置１０ＡのＣＰＵ１２Ａは、ラスタライズ部３０、検出部３２、調整部３４、及び合成部３６として機能する。なお、ラスタライズ部３０は、割当部の一例である。
【００３７】
本実施形態において、ラスタライズ部３０は、入力されたベクタ画像をラスタライズしてラスタ画像を生成する。ベクタ画像とは、画像を円や直線等の幾何的な図形の集まりとして表現するベクタ形式の画像である。一方、ラスタ画像（所謂ビットマップ画像ともいう。）とは、画像を各点の濃淡の集まりとして表現するラスタ形式の画像である。ラスタ画像の各画素は、例えば、Ｃ（シアン）、Ｍ（マゼンタ）、Ｙ（イエロー）、及びＫ（ブラック）の各色の画素値（階調値）を有している。
【００３８】
また、本実施形態に係るラスタライズ部３０は、ラスタ画像に含まれる各画素に、線又は文字の一部であることを示す線文字タグ、及び、線又は文字の一部ではないことを示す非線文字タグのいずれか一方を割り当てる。
【００３９】
検出部３２は、ラスタ画像における注目画素を含む予め定められた検出領域毎に、ラスタライズ部３０により線文字タグが割り当てられた画素と、非線文字タグが割り当てられた画素との境界を検出する。なお、本実施形態では、線文字タグが割り当てられた画素を線文字画素といい、非線文字タグが割り当てられた画素を非線文字画素という。線文字画素は、第１画素の一例であり、非線文字画素は、第２画素の一例である。
【００４０】
調整部３４は、検出部３２により上記境界が検出され、当該境界に沿う非線文字画素を注目画素として含む予め定められた調整領域の中で、調整済画素の数が閾値未満である場合に、注目画素に対応する画素値を、近傍画素の画素値に基づいて調整する。調整領域及び閾値の少なくとも一方は変更可能である。なお、調整領域とは、注目画素に対応する画素値の調整に用いる領域である。調整済画素とは、注目画素の近傍に位置する線文字画素の画素値により画素値が調整された注目画素である。近傍画素とは、注目画素の近傍に位置する線文字画素である。また、ここでいう「近傍」とは、注目画素を基準として予め定められた距離内の位置を表し、例えば、注目画素から３画素以内の位置を表すものとする。
【００４１】
合成部３６は、ラスタライズ部３０によりラスタライズされたラスタ画像と、調整部３４により画素値が調整された注目画素を有する修正画像とを合成して合成画像を出力する。なお、この修正画像については後述する。
【００４２】
次に、図３〜図１２を参照して、本実施形態に係る画像形成装置１０Ａが備えるラスタライズ部３０、検出部３２、調整部３４、及び合成部３６の各部について具体的に説明する。
【００４３】
なお、本実施形態では、線文字画素と非線文字画素との境界を検出するために線文字タグ及び非線文字タグを用いているが、当該境界を検出するために画素値演算による手法を用いてもよい。
【００４４】
まず、本実施形態に係る画像形成装置１０Ａによるラスタライズ処理について説明する。
【００４５】
図３は、第１の実施形態に係る画像形成装置１０Ａによるラスタライズ処理の一例を説明するための模式図である。
【００４６】
本実施形態に係るラスタライズ部３０は、図３に示すように、ベクタ画像と共に、ベクタ画像のオブジェクト情報の入力を受け付ける。ベクタ画像のオブジェクト情報とは、例えば、グラフィックでは点の座標や、線の角度等の図形要素に関する情報とされ、テキストでは文字コードや、フォントの種類、大きさ等の文字要素に関する情報とされる。ラスタライズ部３０は、オブジェクト情報を用いて、ベクタ画像をラスタライズしてラスタ画像を生成する。
【００４７】
また、ラスタライズ部３０は、上記のオブジェクト情報に基づいて、ラスタ画像の各画素に対して、線文字タグ及び非線文字タグのいずれか一方を割り当てる。本実施形態に係るラスタライズ部３０は、割り当てた結果として、ラスタ画像の各画素に対応付けて、線文字タグ又は非線文字タグを区別するための１ビットの情報を記憶部１４に記憶する。例えば、当該情報が「０」であれば、線文字タグが割り当てられていることを示し、当該情報が「１」であれば、非線文字タグが割り当てられていることを示す。本実施形態では、図３に示すように、線文字タグが割り当てられた画素を線文字画素Ｔｇ１とし、非線文字タグが割り当てられた画素を非線文字画素Ｔｇ２として区別するものとする。
【００４８】
次に、本実施形態に係る画像形成装置１０Ａによる境界検出処理について説明する。
【００４９】
図４は、本実施形態に係るラスタ画像の境界検出処理における処理順の一例を示す模式図である。
図４の矢印で示すように、本実施形態に係る境界検出処理では、ラスタ画像の左上角点を始点、右下角点を終点とし、注目画素をラスタ画像の左端から右端に向け、かつ、上端から下端に向けて、１画素分ずつ移動させながら、境界の検出が行われる。
【００５０】
図５は、第１の実施形態に係る画像形成装置１０Ａによる境界検出処理の一例を説明するための模式図である。
【００５１】
本実施形態に係る検出部３２は、一例として、図５に示すように、注目画素Ａｐ１を含む検出領域４０毎に、線文字画素Ｔｇ１と非線文字画素Ｔｇ２との境界を検出する。検出領域４０は、線文字画素Ｔｇ１と非線文字画素Ｔｇ２との境界の検出に用いる領域であり、上記の調整領域とは異なる領域である。検出領域４０としては、一例として、３×３の領域を示しているが、５×５、７×７等の領域でもよい。なお、検出領域４０における画素の配置としては、縦方向の画素数と横方向の画素数とが同一となる配置に限らず、縦方向の画素数と横方向の画素数とが異なる配置でもよい。
【００５２】
ここで、検出部３２は、検出領域４０に対応する境界検出用パターンを用いて、ラスタ画像に対してパターンマッチングを行うことにより、線文字画素Ｔｇ１と非線文字画素Ｔｇ２との境界を検出する。
【００５３】
図６は、本実施形態に係る境界検出用パターンの一例を示す模式図である。
図６に示すように、本実施形態に係る境界検出用パターンの各々は、上記の検出領域４０に対応するパターンマッチング用の画像であり、本実施形態では、検出領域４０と同一の３×３の画像が適用される。
【００５４】
本実施形態に係る境界検出用パターンでは、注目画素Ａｐ１、線文字画素Ｔｇ１、非線文字画素Ｔｇ２、及び近傍画素Ｎｐ１の位置関係が予め規定されている。画素Ｄｃ１は、画素値が任意（Don't Care）であることを示す画素である。なお、本実施形態では、境界検出用パターンの中央に位置する画素を注目画素Ａｐ１とする。注目画素Ａｐ１は、非線文字画素Ｔｇ２である。近傍画素Ｎｐ１は、注目画素Ａｐ１の近傍に位置する線文字画素Ｔｇ１である。近傍画素Ｎｐ１は、注目画素Ａｐ１を基準として予め定められた距離内に位置する画素である。近傍画素Ｎｐ１には、例えば、注目画素Ａｐ１から３画素以内に位置する画素が適用される。近傍画素Ｎｐ１の画素値は、後述するように、注目画素Ａｐ１に対応する画素値の調整に使用される。
【００５５】
本実施形態において、記憶部１４には、複数種類の境界検出用パターンが予め格納されている。本実施形態に係る注目画素Ａｐ１の近傍画素Ｎｐ１は、注目画素Ａｐ１の右隣、左隣、上隣、及び下隣のいずれかに位置する画素である。すなわち、境界検出用パターンは、図６に示すように、近傍画素Ｎｐ１が注目画素Ａｐ１の右隣、左隣、上隣、及び下隣のいずれかに位置する場合について、複数種類ずつ設けられている。なお、本実施形態は、境界検出用パターンを、近傍画素Ｎｐ１が注目画素Ａｐ１の右隣、左隣、上隣、及び下隣の各々に位置する場合について１種類ずつ設ける場合についても同様に適用される。
【００５６】
本実施形態に係る検出部３２は、上記の各隣接方向毎に複数種類ずつの境界検出用パターンを選択的に用いて、ラスタ画像に対してパターンマッチングを行う。例えば、近傍画素Ｎｐ１の位置が注目画素Ａｐ１の右隣、左隣、上隣、及び下隣に位置する全てのパターンを用いてもよいし、近傍画素Ｎｐ１が注目画素Ａｐ１の右隣及び下隣に位置するパターンのみを用いてもよい。このような境界検出用パターンの使い分けにより、後述の画素値調整処理において線及び文字が異なる太さに調整される。例えば、右隣、左隣、上隣、及び下隣の全てのパターンを用いた場合、線及び文字の太さが２画素相当分太く調整される。一方、右隣及び下隣のパターンのみを用いた場合、線及び文字の太さが１画素相当分太く調整される。なお、線及び文字の太さをどの程度調整するかは、ユーザが設定可能とすることが望ましい。例えば、ユーザが太さ調整量のレベルを設定するための調整量設定画面（図示省略）を表示可能とする。この調整量設定画面において、例えば、レベル大が設定された場合には、２画素相当分太く調整されるようにパターンが選択され、レベル小が設定された場合には、１画素相当分太く調整されるようにパターンが選択される。
【００５７】
検出部３２は、図５に示す検出領域４０内の画素の配置パターンが、図６に示す境界検出用パターンのいずれかに合致した場合、線文字画素Ｔｇ１と非線文字画素Ｔｇ２との境界が存在すると判定する。ここで、検出領域４０内の画素の配置パターンと境界検出用パターンとが合致する場合とは、線文字画素Ｔｇ１と非線文字画素Ｔｇ２との境界が検出され、かつ、注目画素Ａｐ１が非線文字画素Ｔｇ２である場合である。一方、検出領域４０内の画素の配置パターンが、図６に示す境界検出用パターンのいずれにも合致しない場合、線文字画素Ｔｇ１と非線文字画素Ｔｇ２との境界は存在しないと判定する。
【００５８】
ところで、本実施形態に係る画像形成装置１０Ａでは、連続的画素値調整処理と、周期的画素値調整処理とが選択的に実行される。いずれの画素値調整処理を実行するかは、例えば、ユーザにより選択可能とすることが望ましい。連続的画素値調整処理とは、パターンマッチングにより境界が検出された全ての注目画素Ａｐ１に対して連続的に画素値の調整を行う処理である。連続的画素値調整処理は、調整部３４及び合成部３６が実行する処理である。一方、周期的画素値調整処理とは、パターンマッチングにより境界が検出された注目画素Ａｐ１に対して、例えば、１つおき、２つおき等のように周期的に画素値の調整を行う処理である。周期的画素値調整処理は、調整部３４及び合成部３６が実行する処理である。
【００５９】
まず、本実施形態に係る画像形成装置１０Ａが連続的画素値調整処理を行う場合における調整部３４及び合成部３６の各々の動作について説明する。
【００６０】
調整部３４は、検出部３２によるパターンマッチングにより、一例として図６に示す境界検出用パターンのいずれかが合致した場合、注目画素Ａｐ１に対応する画素値を、近傍画素Ｎｐ１の画素値に基づいて調整する。ここで行う調整として、注目画素Ａｐ１に対応する画素値を、近傍画素Ｎｐ１の画素値で置き換えてもよいし、近傍画素Ｎｐ１の画素値に近い値に調整してもよい。なお、近傍画素Ｎｐ１の画素値に近い値としては、当該画素値を基準として予め定められた範囲内の画素値が適用される。例えば、近傍画素Ｎｐ１の画素値の８０％以上１００％未満の範囲の画素値が適用される。
【００６１】
このように、非線文字画素である注目画素Ａｐ１の画素値は、線文字画素である近傍画素Ｎｐ１の画素値に置き換えられる。あるいは、注目画素Ａｐ１の画素値は、近傍画素Ｎｐ１の画素値に近い値に調整される。このため、連続的画素値調整処理後の画像では、連続的画素値調整処理前と比べて、線又は文字が太く視認される。
【００６２】
なお、調整部３４は、画素値が調整された注目画素Ａｐ１について、連続的画素値調整処理前に注目画素Ａｐ１に割り当てられた非線文字タグを線文字タグに更新する。
【００６３】
ここで、調整部３４は、上記の連続的画素値調整処理を、ラスタ画像とは異なる修正画像を用いて行う。なお、ここでいう修正画像とは、近傍画素Ｎｐ１の画素値に基づいて画素値が調整された注目画素Ａｐ１だけを配置した画像であり、一例として、図７に示される画像である。
【００６４】
図７は、第１の実施形態に係る画像形成装置１０Ａによる連続的画素値調整処理後における画像合成処理の一例を説明するための模式図である。
【００６５】
本実施形態に係る合成部３６は、一例として、図７に示すように、ラスタライズ部３０によりラスタライズされたラスタ画像と、調整部３４により画素値が調整された注目画素Ａｐ１のみを有する修正画像とを合成した合成画像を画像形成部２０に出力する。
【００６６】
ここで、ラスタ画像と修正画像とを分ける理由について説明する。
上述したように、境界検出用パターンを用いたパターンマッチングは、ラスタ画像に対して実施される。このため、ラスタ画像において注目画素Ａｐ１の画素値を直接調整して線又は文字を太らせてしまうと、線又は文字を太らせた後のラスタ画像に対して更にパターンマッチングが実施され、線又は文字を延々と太らせてしまうという事態が発生する場合がある。
【００６７】
そこで、本実施形態では、ラスタ画像と修正画像とを分けて処理することで、ラスタ画像自体はオリジナルの状態を維持するようにしている。これにより、上記のように線又は文字を延々と太らせる事態の発生が抑制される。
【００６８】
ところで、上記の連続的画素値調整処理では、境界が検出された注目画素Ａｐ１に対して連続的に画素値の調整が行われるため、必ずしも画像における線又は文字の太さを柔軟に調整できるとは限らない。このため、ユーザによっては、画素値調整後の線又は文字の太さが太過ぎると感じることも起こり得る。
【００６９】
これに対して、周期的画素値調整処理では、境界が検出された注目画素Ａｐ１に対して、例えば、１つおき、２つおき等のように周期的に画素値の調整が行われる。このため、ユーザには、連続的画素値調整処理により画素値が調整された線又は文字の太さと比べて、線又は文字の太さがやや細くより適切な太さとして視認される。
【００７０】
次に、本実施形態に係る画像形成装置１０Ａが周期的画素値調整処理を行う場合における調整部３４及び合成部３６の各々の動作について説明する。
【００７１】
調整部３４は、検出部３２によるパターンマッチングにより、一例として、図６に示す境界検出用パターンのいずれかが合致した場合、一例として、図８に示す調整領域４２を用いて、注目画素Ａｐ１に対応する画素の画素値を調整するか否かを判定する。なお、検出部３２によるパターンマッチングにより、一例として、図６に示す境界検出用パターンのいずれにも合致しない場合、注目画素Ａｐ１に対応する画素の画素値は調整しない。
【００７２】
図８は、本実施形態に係る調整領域４２の一例を示す図である。
図８に示すように、この調整領域４２は、上述の検出領域４０と同一の注目画素Ａｐ１を含む領域である。図８に示す調整領域４２の場合、注目画素Ａｐ１は、調整領域４２の右下端に位置する。
【００７３】
本実施形態に係る調整領域４２は、一例として、図８に示すように、注目画素Ａｐ１の上隣の画素ｐ２、左隣の画素ｐ４、画素ｐ２の右隣の画素ｐ３、及び画素ｐ２の左隣の画素ｐ１を含む領域である。つまり、注目画素Ａｐ１の右隣及び下隣には画素が存在しない。上述した検出領域４０は、ラスタ画像に対して適用される領域であり、調整領域４２は、修正画像に対して適用される領域である。
【００７４】
調整部３４は、調整領域４２の中で調整済画素の数が閾値未満である場合に、注目画素Ａｐ１に対応する画素値を、近傍画素Ｎｐ１の画素値に基づいて調整する。一方、調整部３４は、調整領域４２の中で調整済画素の数が閾値以上である場合に、注目画素Ａｐ１に対応する画素値を、近傍画素Ｎｐ１の画素値の如何に係らず調整しない。上記の閾値として、例えば、「１」が設定される。この場合、調整領域４２の中の調整済画素の数が１つ未満である場合（＝０個の場合）、つまり、調整領域４２内の画素ｐ１〜ｐ４が全て調整済画素ではない場合に、注目画素Ａｐ１に対応する画素値を調整する。一方、調整領域４２の中の調整済画素の数が１つ以上である場合、つまり、調整領域４２内の画素ｐ１〜ｐ４の１つ以上が調整済画素である場合に、注目画素Ａｐ１に対応する画素値を調整しない。
【００７５】
調整部３４は、上記により、近傍画素Ｎｐ１の画素値に基づいて、注目画素Ａｐ１に対応する画素値を調整する。ここで行う調整は、上記の連続的画素値調整処理の場合と同様である。この調整の結果、修正画像には、画素値を調整した注目画素Ａｐ１（すなわち調整済画素）と、画素値を調整しない注目画素Ａｐ１とが周期的に配置される。一例として図８に示す調整領域４２を適用した場合、画素値を調整した注目画素Ａｐ１（調整済画素）と、画素値を調整しない注目画素Ａｐ１とが交互に並ぶ配置となる。
【００７６】
なお、調整部３４は、上記の連続的画素値調整処理の場合と同様に、画素値が調整された注目画素Ａｐ１について、周期的画素値調整処理前に注目画素Ａｐ１に割り当てられた非線文字タグを線文字タグに更新する。
【００７７】
図９は、本実施形態に係る他の調整領域４４の一例を示す図である。
図９に示すように、この調整領域４４は、図８に示す調整領域４２と同様に、検出領域４０と同一の注目画素Ａｐ１を右下端に含む領域である。
【００７８】
図９に示す調整領域４４についても、図８に示す調整領域４２と同様に、注目画素Ａｐ１の右隣及び下隣には画素が存在しない。調整領域４４では、上記の閾値として、例えば、「２」が設定される。具体的には、調整領域４４の中の調整済画素の数が２つ未満である場合（＝０個又は１個の場合）、つまり、調整領域４４内の画素ｐ１〜ｐ１２の１つ以下が調整済画素である場合に、注目画素Ａｐ１に対応する画素値を調整する。一方、調整領域４４の中の調整済画素の数が２つ以上である場合、つまり、調整領域４４内の画素ｐ１〜ｐ１２の２つ以上が調整済画素である場合に、注目画素Ａｐ１に対応する画素値を調整しない。
【００７９】
図１０は、第１の実施形態に係る画像形成装置１０Ａによる周期的画素値調整処理の手順の一例を示す模式図である。以下、図１０を参照して、画像形成装置１０Ａによる周期的画素値調整処理を、更に具体的に説明する。なお、本実施形態では、図８に示す調整領域４２を適用した場合について説明するが、図９に示す調整領域４４を適用してもよい。
【００８０】
まず、（Ｓ１）では、検出部３２が、ラスタ画像に対して検出領域４０を適用し、パターンマッチングにより線文字画素Ｔｇ１と非線文字画素Ｔｇ２との境界を検出する。境界が検出された場合、調整部３４が、修正画像に対して調整領域４２を適用し、注目画素Ａｐ１に対応する画素値を調整するか否かを判定する。ここでは、調整領域４２の中に調整済画素Ｂｐ１が含まれないため、注目画素Ａｐ１に対応する画素値を調整すると判定する。調整部３４は、判定の結果に従って、注目画素Ａｐ１に対応する画素値を、一例として、図６に示す近傍画素Ｎｐ１の画素値に基づいて調整し、調整済画素Ｂｐ１とする。
【００８１】
（Ｓ２）では、注目画素Ａｐ１を右隣に移動させた後に、同様に、検出部３２が、ラスタ画像に対して検出領域４０を適用し、パターンマッチングにより線文字画素Ｔｇ１と非線文字画素Ｔｇ２との境界を検出する。境界が検出された場合、調整部３４が、修正画像に対して調整領域４２を適用し、注目画素Ａｐ１に対応する画素値を調整するか否かを判定する。ここでは、調整領域４２の中に調整済画素Ｂｐ１が１つ含まれるため、注目画素Ａｐ１に対応する画素値を調整しないと判定する。
【００８２】
（Ｓ３）では、注目画素Ａｐ１を更に右隣に移動させた後に、同様に、検出部３２が、ラスタ画像に対して検出領域４０を適用し、パターンマッチングにより線文字画素Ｔｇ１と非線文字画素Ｔｇ２との境界を検出する。境界が検出された場合、調整部３４が、修正画像に対して調整領域４２を適用し、注目画素Ａｐ１に対応する画素値を調整するか否かを判定する。ここでは、調整領域４２の中に調整済画素Ｂｐ１が含まれないため、注目画素Ａｐ１に対応する画素値を調整すると判定する。調整部３４は、判定の結果に従って、注目画素Ａｐ１に対応する画素値を、一例として、図６に示す近傍画素Ｎｐ１の画素値に基づいて調整し、調整済画素Ｂｐ１とする。
【００８３】
（Ｓ４）では、注目画素Ａｐ１を更に右隣に移動させた後に、同様に、検出部３２が、ラスタ画像に対して検出領域４０を適用し、パターンマッチングにより線文字画素Ｔｇ１と非線文字画素Ｔｇ２との境界を検出する。境界が検出された場合、調整部３４が、修正画像に対して調整領域４２を適用し、注目画素Ａｐ１に対応する画素値を調整するか否かを判定する。ここでは、調整領域４２の中に調整済画素Ｂｐ１が１つ含まれるため、注目画素Ａｐ１に対応する画素値を調整しないと判定する。以下、同様に、注目画素Ａｐ１の位置を１画素ずつ移動させながら、画素値調整処理を繰り返し実行する。
【００８４】
ここで、調整部３４は、上記の周期的画素値調整処理を、ラスタ画像とは異なる修正画像を用いて行う。なお、ここでいう修正画像とは、近傍画素Ｎｐ１の画素値に基づいて画素値が調整された注目画素Ａｐ１と、画素値が調整されない注目画素Ａｐ１とを配置した画像であり、一例として、図１１に示される画像である。
【００８５】
図１１は、第１の実施形態に係る画像形成装置１０Ａによる周期的画素値調整処理後における画像合成処理の一例を説明するための模式図である。
【００８６】
図１１に示すように、ラスタ画像に対して、上記の周期的画素値調整処理を行った結果、画素値が調整された注目画素Ａｐ１と、画素値が調整されない注目画素Ａｐ１とが一例として交互に配置された修正画像が生成される。
【００８７】
本実施形態に係る合成部３６は、図１１に示すように、ラスタライズ部３０によりラスタライズされたラスタ画像と、調整部３４により生成された修正画像とを合成した合成画像を画像形成部２０に出力する。この場合、合成画像は、一例として櫛歯状に形成されている。
【００８８】
本実施形態に係る画像形成部２０は、合成部３６により出力された、図１１に示す合成画像を、紙等の記録媒体に形成する。
【００８９】
図１２は、第１の実施形態に係る連続的画素値調整処理及び周期的画素値調整処理の各々を適用した場合の合成画像の一例を示す模式図である。
【００９０】
図１２に示すように、連続的画素値調整処理を適用した合成画像では、ラスタ画像における線の太さが１画素相当分太くなっている。これに対して、一例として図８に示す調整領域４２を用いた周期的画素値調整処理を適用した合成画像では、ユーザにはラスタ画像における線の太さが１／２画素相当分太くなっているように視認される。これは、周期的画素値調整処理が適用された合成画像では、ラスタ画像に対して、画素値を調整した画素と、画素値を調整しない画素とが交互に配置されるためである。なお、図１２に示す合成画像は、実際には細かい櫛歯状になっているが、ユーザの目で判別することは難しく、ユーザには連続した線として視認される。
【００９１】
一方、図８に示す調整領域４２に代えて、図９に示す調整領域４４を用いた周期的画素値調整処理を適用した合成画像では、ユーザにはラスタ画像における線の太さが２／３画素相当分太くなっているように視認される。このように、調整領域における画素の配置パターンと、調整済画素の個数と、を適宜設定することで、線又は文字の太さがユーザの好みに応じて柔軟に調整される。なお、周期的画素値調整処理で線及び文字の太さをどの程度調整するかは、ユーザが設定可能とすることが望ましい。例えば、ユーザが太さ調整量のレベルを設定するための調整量設定画面（図示省略）を表示可能とする。この調整量設定画面において、例えば、レベル大が設定された場合には、２／３画素相当分太く視認されるように、図９に示す調整領域４４が選択され、レベル小が設定された場合には、１／２画素相当分太く視認されるように、図８に示す調整領域４２が選択される。
【００９２】
次に、図１３を参照して、第１の実施形態に係る画像形成装置１０Ａの作用を説明する。なお、図１３は、第１の実施形態に係る画像処理プログラム１４Ａの処理の流れの一例を示すフローチャートである。
【００９３】
まず、画像形成装置１０Ａの画像処理に関するメニュー画面（図示省略）において、ユーザの操作により、例えば、「線文字太さ調整」の項目が選択され、実行が指示されると、画像処理プログラム１４Ａが起動され、以下の各ステップを実行する。なお、ここでは、周期的画素値調整処理を適用した場合について説明する。
【００９４】
図１３のステップ１００では、ラスタライズ部３０が、上述の図３を参照して説明したように、ベクタ画像及びオブジェクト情報の入力を受け付ける。
【００９５】
ステップ１０２では、ラスタライズ部３０が、上述の図３を参照して説明したように、オブジェクト情報を用いて、ベクタ画像をラスタライズしてラスタ画像を生成する。
【００９６】
ステップ１０４では、ラスタライズ部３０が、上述の図３を参照して説明したように、オブジェクト情報に基づいて、ラスタ画像の各画素に対して、線文字タグ及び非線文字タグのいずれか一方を割り当てる。
【００９７】
ステップ１０６では、検出部３２が、ラスタ画像のＭ画素目（Ｍ＝１以上ｍ以下：ｍはラスタ画像の全画素数）を注目画素Ａｐ１として含む検出領域４０（図５も参照）に対して、図６に示す境界検出用パターンを選択的に用いてパターンマッチングを行う。なお、Ｍの初期値は「１」に設定されているものとする。
【００９８】
ステップ１０８では、検出部３２が、ステップ１０６でのパターンマッチングの結果、注目画素Ａｐ１を含む検出領域４０の画素の配置パターンが、複数種類の境界検出用パターンのいずれかと合致したか否かを判定する。合致したと判定した場合（肯定判定の場合）、ステップ１１０に移行し、合致しないと判定した場合（否定判定の場合）、ステップ１１６に移行する。
【００９９】
ステップ１１０では、調整部３４が、注目画素Ａｐ１に対応する画素値を調整するか否かを判定する。具体的には、調整部３４は、一例として調整領域４２の中で調整済画素Ｂｐ１の数が閾値未満である場合に、注目画素Ａｐ１に対応する画素値を、近傍画素Ｎｐ１の画素値に基づいて調整すると判定し（肯定判定）、ステップ１１２に移行する。一方、調整部３４は、調整領域４２の中で調整済画素Ｂｐ１の数が閾値以上である場合に、注目画素Ａｐ１に対応する画素値を、近傍画素Ｎｐ１の画素値の如何に係らず調整しないと判定し（否定判定）、ステップ１１６に移行する。
【０１００】
ステップ１１２では、調整部３４が、注目画素Ａｐ１に対して、ステップ１０８の処理により合致した境界検出用パターンに基づいて、ラスタ画像において、注目画素Ａｐ１に対応する近傍画素Ｎｐ１の位置を特定する。つまり、近傍画素Ｎｐ１が、注目画素Ａｐ１の左隣、右隣、上隣、及び下隣のいずれに位置しているかを特定する。
【０１０１】
ステップ１１４では、調整部３４が、ステップ１１２の処理により特定した位置の近傍画素Ｎｐ１の画素値に基づいて、注目画素Ａｐ１に対応する画素値を調整する。なお、このとき、調整部３４は、注目画素Ａｐ１に割り当てられている非線文字タグを線文字タグに更新する。
【０１０２】
ステップ１１６では、調整部３４が、ラスタ画像に含まれる全ての画素について処理が終了したか否かを判定する。全ての画素について処理が終了したと判定した場合（肯定判定の場合）、ステップ１１８に移行する。一方、全ての画素について処理が終了していないと判定した場合（否定判定の場合）、ステップ１０６に戻り、ラスタ画像のＭ画素目（Ｍを１つだけインクリメント）を注目画素Ａｐ１として処理を繰り返す。
【０１０３】
ステップ１１８では、合成部３６が、図１１を参照して説明したように、ラスタライズ部３０によりラスタライズされたラスタ画像と、調整部３４により画素値が調整された注目画素Ａｐ１を有する修正画像とを合成して合成画像を生成する。そして、合成部３６は、生成した合成画像を画像形成部２０に出力し、上記画像処理プログラム１４Ａによる一連の処理を終了する。
【０１０４】
［第２の実施形態］
上記第１の実施形態では、線文字タグ及び非線文字タグの２種類のタグを用いて、線と文字とを区別せずに周期的画素値調整処理を行った。これに対して、本実施形態では、線タグ、文字タグ、非線タグ、及び非文字タグの４種類のタグを用いて、線と文字とを区別して周期的画素値調整処理を行う。なお、本実施形態は、周期的画素値調整処理に限らず、連続的画素値調整処理にも同様に適用可能とされる。
【０１０５】
図１４は、第２の実施形態に係る画像形成装置１０Ｂの機能的な構成の一例を示すブロック図である。
図１４に示すように、本実施形態に係る画像形成装置１０Ｂは、ラスタライズ部５０、検出部５２、調整部５４、及び合成部３６を備える。なお、同じ機能を有する構成要素には同じ符号を付し、繰り返しの説明は省略する。
【０１０６】
図１５は、第２の実施形態に係る画像形成装置１０Ｂによるラスタライズ処理の一例を説明するための模式図である。
【０１０７】
本実施形態に係るラスタライズ部５０は、図１５に示すように、線及び文字を含むベクタ画像と共に、ベクタ画像のオブジェクト情報の入力を受け付ける。ラスタライズ部５０は、第１の実施形態と同様に、オブジェクト情報に基づいて、ベクタ画像をラスタライズしてラスタ画像を生成する。
【０１０８】
本実施形態において、線文字タグは、線タグ及び文字タグを含み、非線文字タグは、非線タグ及び非文字タグを含む。ラスタライズ部５０は、上記のオブジェクト情報に基づいて、ラスタ画像の各画素に対して、線タグ、文字タグ、非線タグ、及び非文字タグのいずれか１つを割り当てる。線タグは、画素が線の一部であることを示すタグである。文字タグは、画素が文字の一部であることを示すタグである。非線タグは、画素が非線であることを示すタグである。非文字タグは、画素が非文字であることを示すタグである。
【０１０９】
本実施形態では、図１５に示すように、線タグが割り当てられた画素を線画素Ｔｇ３とし、非線タグが割り当てられた画素を非線画素Ｔｇ５として区別する。同様に、文字タグが割り当てられた画素を文字画素Ｔｇ４とし、非文字タグが割り当てられた画素を非文字画素Ｔｇ６として区別する。但し、非線画素Ｔｇ５と非文字画素Ｔｇ６とは同一の画素である。本実施形態に係るラスタライズ部５０は、割り当てた結果として、ラスタ画像の各画素に対応付けて、線タグ、文字タグ、非線タグ、及び非文字タグを区別するための２ビットの情報を記憶部１４に記憶する。例えば、当該情報が「００」であれば、線タグが割り当てられていることを示し、当該情報が「０１」であれば、文字タグが割り当てられていることを示す。同様に、当該情報が「１０」であれば、非線タグが割り当てられていることを示し、当該情報が「１１」であれば、非文字タグが割り当てられていることを示す。
【０１１０】
本実施形態に係る検出部５２は、上述の図５を参照して説明したように、注目画素Ａｐ１を含む検出領域４０毎に、線画素Ｔｇ３と非線画素Ｔｇ５との境界を検出する。但し、図５に示す線文字画素Ｔｇ１を線画素Ｔｇ３と読み替え、非線文字画素Ｔｇ２を非線画素Ｔｇ５と読み替える。同様に、検出部５２は、注目画素Ａｐ１を含む検出領域４０毎に、文字画素Ｔｇ４と非文字画素Ｔｇ６との境界を検出する。但し、図５に示す線文字画素Ｔｇ１を文字画素Ｔｇ４と読み替え、非線文字画素Ｔｇ２を非文字画素Ｔｇ６と読み替える。
【０１１１】
本実施形態に係る境界検出処理には、線検出の場合及び文字検出の場合の各々に対して、第１の実施形態と同様に、図６に示す境界検出用パターンを用いたバターンマッチングが適用される。
【０１１２】
本実施形態に係る調整部５４は、線検出の場合のパターンマッチングにより、図６に示す境界検出用パターンのいずれかが合致した場合、注目画素Ａｐ１に対応する画素値を、近傍画素Ｎｐ１の画素値に基づいて調整するか否かを判定する。この場合、注目画素Ａｐ１は、非線画素Ｔｇ５であり、近傍画素Ｎｐ１は、線画素Ｔｇ３である。そして、線検出の場合には、一例として図８に示す調整領域４２を用いて周期的画素値調整処理を行う。一方、調整部５４は、文字検出の場合のパターンマッチングにより、図６に示す境界検出用パターンのいずれかが合致した場合、注目画素Ａｐ１に対応する画素値を、近傍画素Ｎｐ１の画素値に基づいて調整するか否かを判定する。この場合、注目画素Ａｐ１は、非文字画素Ｔｇ６であり、近傍画素Ｎｐ１は、文字画素Ｔｇ４である。そして、文字検出の場合には、一例として図９に示す調整領域４４を用いて周期的画素値調整処理を行う。
【０１１３】
上記のような調整領域の使い分けにより、線と文字とが異なる太さに調整される。例えば、調整領域４２を用いた場合、線の太さが１／２画素相当分太く視認されるように調整される。一方、調整領域４４を用いた場合、文字の太さが２／３画素相当分太く視認されるように調整される。
【０１１４】
以上、実施形態として画像処理装置及び画像形成装置を例示して説明した。実施形態は、画像処理装置又は画像形成装置が備える各部の機能をコンピュータに実行させるためのプログラムの形態としてもよい。実施形態は、このプログラムを記憶したコンピュータが読み取り可能な記憶媒体の形態としてもよい。
【０１１５】
その他、上記実施形態で説明した画像処理装置又は画像形成装置の構成は、一例であり、主旨を逸脱しない範囲内において状況に応じて変更してもよい。
【０１１６】
また、上記実施形態で説明したプログラムの処理の流れも、一例であり、主旨を逸脱しない範囲内において不要なステップを削除したり、新たなステップを追加したり、処理順序を入れ替えたりしてもよい。
【０１１７】
また、上記実施形態では、プログラムを実行することにより、実施形態に係る処理がコンピュータを利用してソフトウェア構成により実現される場合について説明したが、これに限らない。実施形態は、例えば、ハードウェア構成や、ハードウェア構成とソフトウェア構成との組み合わせによって実現してもよい。
【符号の説明】
【０１１８】
１０Ａ、１０Ｂ画像形成装置
１１   画像処理部
１２   制御部
１２Ａ ＣＰＵ
１２Ｂ ＲＯＭ
１２Ｃ ＲＡＭ
１２Ｄ Ｉ／Ｏ
１４   記憶部
１４Ａ 画像処理プログラム
１６   表示部
１８   操作部
２０   画像形成部
２２   原稿読取部
２４   通信部
３０、５０    ラスタライズ部
３２、５２    検出部
３４、５４、  調整部
３６   合成部
４０   検出領域
４２、４４    調整領域
【図１】
2019041280.tif 000003
【図２】
2019041280.tif 000004
【図３】
2019041280.tif 000005
【図４】
2019041280.tif 000006
【図５】
2019041280.tif 000007
【図６】
2019041280.tif 000008
【図７】
2019041280.tif 000009
【図８】
2019041280.tif 000010
【図９】
2019041280.tif 000011
【図１０】
2019041280.tif 000012
【図１１】
2019041280.tif 000013
【図１２】
2019041280.tif 000014
【図１３】
2019041280.tif 000015
【図１４】
2019041280.tif 000016
【図１５】
2019041280.tif 000017